(57)【要約】【課題】本発明は光ディスク装置に関するもので、生産コストを低減することを目的とするものである。【解決手段】そして、この目的を達成するために本発明は、前記光ディスク挿入検出器６は、フォトＬＥＤ７とフォトトランジスタ８を、所定間隔をおいて対向配置した構成とし、制御回路１１には、光ディスク挿入検出器６の動作閾値を記録した動作閾値メモリー１２と、温度センサー１３を接続し、前記動作閾値メモリー１２には、本体ケース１外から動作閾値の書き換えを行う入力線１６を接続した。【選択図】図２
2012155778.tif 000002
【特許請求の範囲】
【請求項１】
前面開口部を有する本体ケースと、この本体ケース内に設けた光ディスク駆動モータと、前記前面開口部から本体ケース内に挿入された光ディスクを、前記光ディスク駆動モータ部分に移動させるローディングモータと、前記本体ケースの前面開口部後方に配置された光ディスク挿入検出器と、前記ディスク駆動モータ、ローディングモータ、光ディスク挿入検出器に接続された制御回路とを備え、前記光ディスク挿入検出器は、フォトＬＥＤとフォトトランジスタを、所定間隔をおいて対向配置した構成とし、前記制御回路には、光ディスク挿入検出器の動作閾値を記録した動作閾値メモリーと、温度センサーを接続し、前記動作閾値メモリーには、本体ケース外から動作閾値の書き換えを行う入力線を接続した光ディスク装置。
【発明の詳細な説明】
【技術分野】
【０００１】
本発明は、車両などに搭載される光ディスク装置に関する。
【背景技術】
【０００２】
従来のこの種、光ディスク装置の構成は、以下のようになっていた。
【０００３】
すなわち、前面開口部を有する本体ケースと、この本体ケース内に設けた光ディスク駆動モータと、前記前面開口部から本体ケース内に挿入された光ディスクを、前記光ディスク駆動モータ部分に移動させるローディングモータと、前記本体ケースの前面開口部後方に配置された光ディスク挿入検出器と、前記ディスク駆動モータ、ローディングモータ、光ディスク挿入検出器に接続された制御回路とを備え、前記光ディスク挿入検出器は、フォトＬＥＤとフォトトランジスタを、所定間隔をおいて対向配置した構成としていた。
【０００４】
つまり、光ディスクが、本体ケースの前面開口部から、この本体ケース内に挿入されたことを、光ディスク挿入検出器によって検出し、これによってローディングモータを駆動して、前記光ディスクを光ディスク駆動モータ部分に移動させるようになっていた。
【０００５】
また、前記光ディスク挿入検出器は、フォトＬＥＤとフォトトランジスタを、所定間隔をおいて対向配置した構成としていたが、フォトＬＥＤやフォトトランジスタの特性は、温度によって大きく変動するので、常にその状態を検出し、動作を安定するようにしている（例えば、下記特許文献１）。
【先行技術文献】
【特許文献】
【０００６】
【特許文献１】特開平３−２６１２１９号公報
【発明の概要】
【発明が解決しようとする課題】
【０００７】
前記従来例における課題は、回路構成が複雑となり、生産コストが高くなるということであった。
すなわち、フォトＬＥＤやフォトトランジスタの特性を常に監視し、フィードバック制御を行うためには、フォトＬＥＤやフォトトランジスタの特性を常に検出する検出器と、この検出器によるフィードバック制御を行う制御器が必要となり、その結果として生産コストが高くなるのであった。
【０００８】
そこで、本発明は、生産コストを低減することを目的とするものである。
【課題を解決するための手段】
【０００９】
そしてこの目的を達成するために本発明は、前面開口部を有する本体ケースと、この本体ケース内に設けた光ディスク駆動モータと、前記前面開口部から本体ケース内に挿入された光ディスクを、前記光ディスク駆動モータ部分に移動させるローディングモータと、前記本体ケースの前面開口部後方に配置された光ディスク挿入検出器と、前記ディスク駆動モータ、ローディングモータ、光ディスク挿入検出器に接続された制御回路とを備え、前記光ディスク挿入検出器は、フォトＬＥＤとフォトトランジスタを、所定間隔をおいて対向配置した構成とし、前記制御回路には、光ディスク挿入検出器の動作閾値を記録した動作閾値メモリーと温度センサーを接続し、前記動作閾値メモリーには、本体ケース外から動作閾値の書き換えを行う入力線を接続し、これにより所期の目的を達成するものであ
る。
【発明の効果】
【００１０】
以上のように本発明は、前面開口部を有する本体ケースと、この本体ケース内に設けた光ディスク駆動モータと、前記前面開口部から本体ケース内に挿入された光ディスクを、前記光ディスク駆動モータ部分に移動させるローディングモータと、前記本体ケースの前面開口部後方に配置された光ディスク挿入検出器と、前記ディスク駆動モータ、ローディングモータ、光ディスク挿入検出器に接続された制御回路とを備え、前記光ディスク挿入検出器は、フォトＬＥＤとフォトトランジスタを、所定間隔をおいて対向配置した構成とし、前記制御回路には、光ディスク挿入検出器の動作閾値を記録した動作閾値メモリーと温度センサーを接続し、前記動作閾値メモリーには、本体ケース外から動作閾値の書き換えを行う入力線を接続したものであるので、生産コストを低減することができる。
【００１１】
すなわち、本発明においては、制御回路に光検出器の動作閾値を記録した動作閾値メモリーと温度センサーを接続し、前記動作閾値メモリーには、本体ケース外から動作閾値の書き換えを行う入力線を接続したものであり、事前に確認した温度による動作閾値を動作閾値メモリーに記録することで、温度変動に対応して動作閾値を変更することができるので、動作の信頼性を向上することができる。
【００１２】
また、フォトＬＥＤやフォトトランジスタの特性を常に検出する検出器と、この検出器によるフィードバック制御を行う制御器が不要となるので、生産コストを低減することができるものとなる。
【図面の簡単な説明】
【００１３】
【図１】本発明の実施の形態１にかかる光ディスク装置の斜視図
【図２】同光ディスク装置の制御ブロック図
【図３】同光ディスク装置の光ディスク挿入検出器を示す回路図
【図４】同光ディスク挿入検出器の動作を説明する図
【発明を実施するための形態】
【００１４】
以下、本発明の一実施の形態を、図面を用いて説明する。
（実施の形態１）
図１において、１は前面開口部２を有する本体ケースで、この本体ケース１内には光ディスク駆動モータ３と、前記前面開口部２から本体ケース１内に挿入された光ディスク４を、前記光ディスク駆動モータ３部分に移動させるローディングモータ（図２の５）が配置されている。
【００１５】
また、前記本体ケース１の前面開口部２後方には光ディスク挿入検出器（図２の６）が配置されている。
【００１６】
前記光ディスク挿入検出器６は、前記本体ケース１の前面開口部２後方において、図２、図３に示すようにフォトＬＥＤ７とフォトトランジスタ８を、所定間隔をおいて対向配置した構成としており、フォトＬＥＤ７とフォトトランジスタ８間に光ディスク４が介在し、フォトＬＥＤ７からフォトトランジスタ８に向かう光を遮ると、フォトトランジスタ８の検出ポイント９の電位が上昇し、これによって光ディスク４の挿入を検出するようにしている。
【００１７】
また、検出ポイント９の電位はＡＤ変換器１０を介して制御回路１１に供給されるようになっている。
【００１８】
さらに、制御回路１１には、前記光ディスク駆動モータ３、ローディングモータ５、光ディスク挿入検出器６以外に、光ディスク挿入検出器６の動作閾値を記録した動作閾値メモリー１２と、温度センサー１３を接続している。
【００１９】
動作閾値メモリー１２には、図４のごとく、温度の変動に応じて設定を変更した動作閾値１５が、本体ケース１外から入力線１６を介して入力部１７から入力されるようになっている。
【００２０】
つまり、図４において、１８は本体ケース１の前面開口部２に光ディスク４が挿入されていない状態での、検出ポイント９の電位の検出基準値を示しており、また１９は本体ケース１の前面開口部２に光ディスク４が挿入された状態での、検出ポイント９の電位の検出基準値を示している。
【００２１】
この図４からも理解されるように、検出基準値１８、１９は低温（例えばマイナス２０度）、高温（例えば７０度）で、常温時に比べ大きく変動する。
【００２２】
したがって、動作閾値１５を低温から高温までフラットな状態としておくと、動作閾値１５を検出基準値１８、１９の少なくとも一方の一部分が越えてしまい、その結果として光ディスク駆動モータ３、ローディングモータ５の動作不良が発生してしまう。
【００２３】
そこで、本実施形態では、あらかじめ測定した検出基準値１８、１９に基づき設定した動作閾値１５を、入力部１７によって、本体ケース１外から入力線１６を介して動作閾値メモリー１２に記録しておくこととしたものである。
【００２４】
その結果、制御回路１１は温度センサー１３によって検出した温度に応じて動作閾値を変動することができるようになり、これにより光ディスク駆動モータ３、ローディングモータ５などの動作不良が発生することの無いものとすることができる。
【産業上の利用可能性】
【００２５】
以上のように本発明は、前面開口部を有する本体ケースと、この本体ケース内に設けた光ディスク駆動モータと、前記前面開口部から本体ケース内に挿入された光ディスクを、前記光ディスク駆動モータ部分に移動させるローディングモータと、前記本体ケースの前面開口部後方に配置された光ディスク挿入検出器と、前記ディスク駆動モータ、ローディングモータ、光ディスク挿入検出器に接続された制御回路とを備え、前記光ディスク挿入検出器は、フォトＬＥＤとフォトトランジスタを、所定間隔をおいて対向配置した構成とし、前記制御回路には、光ディスク挿入検出器の動作閾値を記録した動作閾値メモリーと温度センサーを接続し、前記動作閾値メモリーには、本体ケース外から動作閾値の書き換えを行う入力線を接続したものであるので、生産コストを低減することができる。
【００２６】
すなわち、本発明においては、制御回路に光検出器の動作閾値を記録した動作閾値メモリーと温度センサーを接続し、前記動作閾値メモリーには、本体ケース外から動作閾値の書き換えを行う入力線を接続したものであり、事前に確認した温度による動作閾値を動作閾値メモリーに記録することで、温度変動に対応して動作閾値を変更することができるので、動作の信頼性を向上することができる。
【００２７】
また、フォトＬＥＤやフォトトランジスタの特性を常に検出する検出器と、この検出器によるフィードバック制御を行う制御器が不要となるので、生産コストを低減することができるものとなる。
【００２８】
したがって、光ディスク装置としての活用が期待されるものとなる。
【符号の説明】
【００２９】
１  本体ケース
２  前面開口部
３  光ディスク駆動モータ
４  光ディスク
５  ローディングモータ
６  光ディスク挿入検出器
７  フォトＬＥＤ
８  フォトトランジスタ
９  検出ポイント
１０  ＡＤ変換器
１１  制御回路
１２  動作閾値メモリー
１３  温度センサー
１５  動作閾値
１６  入力線
１７  入力部
１８  検出基準値
【図１】
2012155778.tif 000003
【図２】
2012155778.tif 000004
【図３】
2012155778.tif 000005
【図４】
2012155778.tif 000006